(57)【要約】【課題】エアシリンダ装置で動作する押さえ板が、所定位置まで鉋刃に接近した後は、押さえ板の前進とともに押圧力を減少させて、節類をほぼ最後まで良好に削ることが可能な節削り機を提供する。【解決手段】多数の鉋刃９を有する円板４と押さえ板１４との間に節類を挟み、円板を回転駆動するとともにエアシリンダ装置１７で押さえ板を円板４側へ付勢して節類を鉋刃に押し付けて削る。シリンダロッド１７Ａの押圧力は弾性付勢部材２０を介して間接的に押さえ板に伝達される。押さえ板がシリンダロッドのストローク端まで鉋刃に接近移動した後は、弾性付勢部材の反発力でさらに接近限界位置まで移動するため、節類の削り終わりに近づいて節類が次第に小さくなり、節類と鉋刃間の当接面積が減少しても節類に作用する鉋刃の圧力増加を生じることがない。【選択図】  図２
2005040872.tif 000002
【特許請求の範囲】
【請求項１】
駆動源によって回転駆動されるように、機枠に水平軸線回りに回転自在に支持され、その少なくとも一方の側面に多数の鉋刃が放射状に取り付けられた円板と、
これらの鉋刃に対して円板の側方から接近離間自在に機枠に支持され、鉋刃に節類を押付ける押さえ板と、
前記押さえ板を弾性付勢部材を介して押圧移動させるシリンダロッドを有するエアシリンダ装置とを備え、
前記弾性付勢部材はシリンダロッドの押圧力よりも弱い反発力を有し、シリンダロッドが押さえ板を円板に接近させる方向にそのストローク端まで変位した後は、押さえ板を鉋刃への接近限界位置に至るまでその反発力のみで押圧付勢するようにしたことを特徴とする節削り機。
【請求項２】
エアシリンダ装置のシリンダロッドの先端寄りに鍔部が形成されているとともに、前記鍔部より先端側には、押さえ板に連結された可動スリーブがシリンダロッドの軸方向に所定距離スライド自在に外嵌されて、鍔部と可動スリーブとの間に装着された弾性付勢部材としての圧縮コイルばねによって、前記可動スリーブが常時シリンダロッドの先端側へ付勢され、シリンダロッドが押さえ板を円板に接近させる方向にそのストローク端まで変位した後は、押さえ板を鉋刃への接近限界位置に至るまで前記圧縮コイルばねの反発力のみで押圧付勢するようにしたことを特徴とする請求項１記載の節削り機。
【発明の詳細な説明】
【０００１】
【発明の属する技術分野】
本発明は、鰹節等の節類の削り節を製造するための削り節機に関する。
【０００２】
【従来の技術】
従来、鰹節等の節類から削り節を製造するために、一方の側面に多数の鉋刃を放射状に配列した円板を水平軸線回りに回転させ、この円板の鉋刃に鰹節等を押さえ板で押し当てて、削るようにした節削り機が提案されている。（例えば、特許文献１参照。）
【０００３】
【特許文献１】
特開平９−２３９６９３号公報
【０００４】
前述したような従来の節削り機においては、鰹節等の節類が順次削られるにつれて押さえ板を円板側に移動させて、節類を常に鉋刃に押しつけておくために、円板の回転に連動して回転するカムと摩擦クラッチを組み合わせた機構が用いられている。
【０００５】
この機構では、モータ等の回転駆動源により、円板と連動して回転する回転軸に所定のトルクを超えた負荷トルクを受けると空転する摩擦クラッチを介してカムを取り付けてあり、押さえ板は、カムの回転によって周期的に円板に対して接近離間動作するようになっている。
【０００６】
そして、節類を円板と押さえ板との間に差し込んでカムを回転させると、押さえ板は円板側に移動し、円板と押さえ板との間に節類を挟み込むとその抵抗で摩擦クラッチが滑ってカムの回転は停止する。
【０００７】
節類は回転する円板の鉋刃によって徐々に削られ、そのたびに少しずつカムは回転して押さえ板は所定の力で節類を押しながら円板に接近するようになっている。
【０００８】
節削り機に節類を自動供給装置によって自動的に供給して削り節の生産効率を高めることが試みられている。このような、自動化したシステムにおいては、前述したような、押さえ板をカムと摩擦クラッチを利用して動作させる機構では、自動供給装置によって節類を節削り機に供給するタイミングと節削り機の押さえ板を開かせるタイミングを合わせることが困難であるため、円板の回転位置と関係なく、押さえ板の開閉をエアシリンダ装置で行うようにしている。
【０００９】
【発明が解決しようとする課題】
前述したような節削り機においては、節類が押さえ板で押されて回転する円板の鉋刃によって削られて小さくなっていくと、鉋刃が節類に当たる面積が次第に減少していくので、押さえ板の押圧力が一定であると、特に削り終わりに近づくにつれて、節類の切削部分が鉋刃から受ける圧力が次第に増加して鉋刃の噛み込みを生じたり節類が砕けてしまうことがあった。
【００１０】
これを回避するためには、押さえ板をカムと摩擦クラッチを利用して動作させる場合には、カム形状を工夫して、押さえ板が鉋刃に接近するにしたがって、押さえ板の押圧力を低減させることも可能であるが、エアシリンダ装置を用いた場合には、エアシリンダ装置に供給される加圧エアの圧力を押さえ板の位置に応じて変化させることは困難であり、たとえ実現できたとしても、加圧エア圧力を押さえ板の移動にともなって自動的に変化させる複雑な調整機構が必要となり、装置が複雑で製造コストが高くなる問題があった。
【００１１】
そこで、本発明は、前述したような従来技術の問題を解決し、エアシリンダ装置で動作する押さえ板が、所定位置まで鉋刃に接近した後は、押さえ板の前進とともに押圧力を減少させて、節類をほぼ最後まで良好に削ることが可能な節削り機を提供することを目的とする。
【００１２】
【課題を解決するための手段】
前記目的を達成するため、本発明の節削り機は、駆動源によって回転駆動されるように、機枠に水平軸線回りに回転自在に支持され、その少なくとも一方の側面に多数の鉋刃が放射状に取り付けられた円板と、これらの鉋刃に対して円板の側方から接近離間自在に機枠に支持され、鉋刃に節類を押付ける押さえ板と、
前記押さえ板を弾性付勢部材を介して押圧移動させるシリンダロッドを有するエアシリンダ装置とを備え、前記弾性付勢部材はシリンダロッドの押圧力よりも弱い反発力を有し、シリンダロッドが押さえ板を円板に接近させる方向にそのストローク端まで変位した後は、押さえ板を鉋刃への接近限界位置に至るまでその反発力のみで押圧付勢するようにしたものである。
【００１３】
前記節削り機においては、エアシリンダ装置のシリンダロッドの先端寄りに鍔部が形成されているとともに、前記鍔部より先端側には、押さえ板に連結された可動スリーブがシリンダロッドの軸方向に所定距離スライド自在に外嵌されて、鍔部と可動スリーブとの間に装着された弾性付勢部材としての圧縮コイルばねによって、前記可動スリーブが常時シリンダロッドの先端側へ付勢され、シリンダロッドが押さえ板を円板に接近させる方向にそのストローク端まで変位した後は、押さえ板を鉋刃への接近限界位置に至るまで前記圧縮コイルばねの反発力のみで押圧付勢する構造とすることが望ましい。
【００１４】
【発明の実施の形態】
本発明の節削り機は、機枠に水平軸線回りに回転するように支持された円板を有しており、この円板には、鰹節等の節類を削るための多数の鉋刃が放射状に取り付けられている。
【００１５】
この円板は、モータ等の駆動源によって回転駆動されるようになっていて、これらの鉋刃に円板の側方から鰹節等の節類を押さえ板によって押し当て、その表面を鉋刃で削り取ることによって連続的に削り節が生成されるようになっている。
【００１６】
節類は、節削り機の上部に配置されたホッパから鉋刃が設けられている円板側面と押さえ板との間に投入される構造とすることができる。また、押さえ板は、ホッパに節類を投入する際には、エアシリンダ装置によって、円板側面の鉋刃から離れた位置へ退避できるようになっている。
【００１７】
円板側面と押さえ板との間に投入された節類を削る場合には、駆動源によって円板を回転駆動するとともに、エアシリンダ装置によって押さえ板を円板の鉋刃側に押圧移動する。
【００１８】
そうすると、押さえ板によって節類は回転する円板の鉋刃にその表面を押し付けられて、順次移動してくる鉋刃によって削られ、削り節が生成される。こうして得られた削り節は押さえ板の下方に落下して、節削り機の機枠下方に設けられた貯留部に貯留される。
【００１９】
本発明の節削り機の特徴は、押さえ板が、弾性付勢部材を介してエアシリンダ装置のシリンダロッドに連結されていることで、シリンダロッドの力が直接押さえ板に伝達されず、弾性付勢部材を介して伝達されるようになっている。
【００２０】
この弾性付勢部材は、シリンダロッドの押圧力よりも弱い反発力を有するもので、圧縮コイルばねのようなばねを用いることができ、例えば、このばねをシリンダロッドの先端寄りに形成した鍔部と、前記鍔部より先端側にシリンダロッドの軸方向に所定距離スライド自在に外嵌された可動スリーブとの間に装着し、この可動スリーブに押さえ板を連結する構造とすることができる。
【００２１】
このような構造においては、押さえ板と円板との間に節類を挟み込んでエアシリンダに加圧エアを導入すると、シリンダロッドに作用する押圧力は圧縮コイルばねを介して可動スリーブへ伝達され、ここからさらに押さえ板に伝達される。
【００２２】
この際、節類から押さえ板に作用する反力によって圧縮コイルばねは圧縮される。一方、押さえ板によって節類は円板の鉋刃に押し付けられるので、この状態で、円板を回転させると節類が削られていく。
【００２３】
節類は削られていくにしたがい、その大きさが減少するが、これに追従してシリンダロッドは前進し、押さえ板を押し続ける。やがて、シリンダロッドが押さえ板を円板に接近させる方向のストローク端に達して停止する。
【００２４】
この際、押さえ板と円板の鉋刃との間に挟まれている節類のサイズは小さく薄くなってきており、シリンダロッドが停止した後は、これまで完全に圧縮されていた圧縮コイルばねがその弾性復元力によって徐々に可動スリーブをシリンダロッドの先端側に押していき、この可動スリーブに連結されている押さえ板は節類が削られていくにしたがって、徐々に鉋刃に接近していく。
【００２５】
ここで、圧縮コイルばねの弾性復元力は、可動スリーブがシリンダロッド先端側へ移動するに従って徐々に減少していくため、押さえ板が節類を押す力も、押さえ板が鉋刃に接近するほど小さくなっていく。
【００２６】
その結果、節類が削られて小さくなり、鉋刃と接触する面積が僅かになっても、鉋刃の接触圧力の増加は抑えられるので、節類の削り終わり近くで鉋刃に噛み込んだり、砕けることが防止される。
【００２７】
なお、実用上は、押さえ板は鉋刃との接触直前の接近限界位置でそれ以上の前進を機枠側に設けたストッパ部材等によって阻止し、鉋刃との衝突を避けるようにしておく必要がある。
【００２８】
また、前述したものは、押さえ板をシリンダロッド上に外嵌された可動スリーブと連結し、シリンダロッドの押圧力を弾性付勢部材としての圧縮コイルばねを介して可動スリーブへ伝達し、さらに押さえ板へ伝達してこの押さえ板によって節類を鉋刃に押し付けるようにしているが、シリンダロッドの押圧力が弾性付勢部材を介して押さえ板に伝達されて、押さえ板で節類が鉋刃に押し付けられる構造であって、押さえ板が所定位置まで鉋刃に接近した後は、弾性付勢部材の反発力のみで、押さえ板が節類を鉋刃に押し付け、押さえ板の前進とともにその押圧力が減少する構造になっていればよい。
【００２９】
また、弾性付勢部材は、その反発力（弾性復元力）が変形前の位置に戻るに従って小さくなる特性を有するものであればよく、これは、圧縮コイルばねや捻りコイルばね等に限らず、例えば、空気ばね等であってもよい。
【００３０】
また、削り節の生産効率を高めるために、鉋刃を円板の両側に設け、またこれに対応させて、押さえ板やその駆動機構も円板の両側にそれぞれ配置して、円板の両面でそれぞれ節類を削ることができるようにしてもよい。
【００３１】
さらに、節類をコンベア等の供給装置で節削り機に投入するようにするとともに、押さえ板と円板との間の節類の有無を検知するセンサを設け、このセンサの出力信号に基づいて、供給装置や円板の駆動源、エアシリンダ装置の駆動・停止の動作タイミングをコンピュータ等で制御することにより、削り節の製造を完全に自動化するようにしてもよい。
【００３２】
【実施例】
以下、図面に基づいて本発明の実施例を説明する。図１は、本発明の第１実施例を示す、節削り機の斜視図であって、節削り機１は、箱型の機枠２の内部に設けられたモータ３によって水平軸線回りに回転駆動される円板４を有している。
【００３３】
この円板４は、機枠２に中間部分を回転自在に軸受支持された回転軸５の一方の端部に固定されていて、この回転軸５の他方の端部に固定された被駆動プーリ６とモータ３の軸３Ａに固定された駆動プーリ７との間に掛け渡されたＶベルト８を介して、モータ３から円板４に回転が伝達されるようになっている。
【００３４】
円板４は、本実施例のものでは、直径５０ｃｍのものを用いており、その一方の側面に長さ７０ｍｍの鉋刃９が放射状に取り付けられていて、円板４を同図の矢印方向に毎分２００〜４００回転させることにより、機枠２上面から突出したホッパ１０内に上方から投入されたかつお節等の節類をこれらの鉋刃９で削るようになっている。
【００３５】
なお、多数の鉋刃７が設けられている円板４や被駆動プーリ６、及びこれらが取り付けられている回転軸５を支持している軸受部分は、防塵と安全のために、通常は、図１に仮想線で描かれている着脱可能なカバー１１、１２で覆われている。
【００３６】
節類を投入するためのホッパ１０は、その上面と円板４との対向面が開放されていて、その内部には、図２ないし図４に示すような節類保持枠１３が、円板４の片側側面に近接して機枠２に固定されている。
【００３７】
節類保持枠１３は、円板４との対向側か開放されており、また、円板４の外周に沿って円弧状に形成された一対の側板１３Ａ、１３Ｂを有している。これらの側板１３Ａ、１３Ｂは、上部と下部がそれぞれ連結片１３Ｃ、１３Ｄで一体に連結されている。
【００３８】
これらの側板１３Ａ、１３Ｂの下端には、押さえ板１４を回動自在に支持する支軸１５の両端部が固定されている。押さえ板１４は、節類保持枠１３内で円板４の側面に対して接近離間可能な、円弧状に沿った押さえ板本体１４Ａと、前記押さえ板本体１４Ａの背面側に連続し、支軸１５で回動自在に支持されたアーム部１４Ｂから構成されている。
【００３９】
アーム部１４Ｂの下端は、支軸１５と平行な連結軸１６によって、エアシリンダ装置１７のシリンダロッド１７Ａ先端に設けられた可動スリーブ１７Ｂに対して回動自在に連結されている。
【００４０】
エアシリンダ装置１７は、シリンダロッド１７Ａの突出側と反対側の端部が連結軸１６と平行な連結軸１８によって、機枠２側のシリンダブラケット１９に揺動自在に取り付けられている。
【００４１】
また、特に図５の詳細に示されているように、可動スリーブ１７Ｂは中空に形成されていて、その一部は、シリンダロッド１７Ａの外径に適合した内径を有し、シリンダロッド１７Ａに対して軸方向にスライド変位自在に嵌挿されている。また、シリンダロッド１７Ａの先端には、可動スリーブ１７Ｂの抜け止め用のワッシャＷが、ボルトＢで締結固定されている。
【００４２】
このワッシャＷは、可動スリーブ１７Ｂ内に形成された環状段部Ｃと当接することによって、可動スリーブ１７Ｂがシリンダロッド１７Ａの先端から脱落することを防止している。
【００４３】
一方、シリンダロッド１７Ａの途中には鍔部Ｆが形成されていて、この鍔部Ｆと可動スリーブ１７Ｂの外周面に形成されている環状段部Ｄとの間には、弾性付勢部材としての圧縮コイルばね２０が予圧を加えられた状態で組み込まれている。
【００４４】
この圧縮コイルばね２０によって、可動スリーブ１７Ｂに軸方向の外力が作用していないときは、可動スリーブ１７Ｂはシリンダロッド１７Ａの先端側に付勢されていて、環状段部ＣがワッシャＷの周縁部に当接した状態が維持されている。
【００４５】
次に、前述したように構成されている節削り機１の動作について説明する。
エアシリンダ装置１７のシリンダロッド１７Ａを収縮位置にし、円板４を停止させてある状態において、ホッパ１０の上端開口部から図３に示すように節類保持枠１３内に投入された節類Ｋは、同図に仮想線で示すように、節類保持枠１３内で円板４と押さえ板本体１４Ａの間に侵入して保持される。
【００４６】
この状態で、図示していないエア源からエアシリンダ装置１７に所定圧力に調整された加圧エアを供給して、シリンダロッド１７Ａを伸長方向に付勢する。
【００４７】
シリンダロッド１７Ａの付勢力は、圧縮コイルばね２０を介して間接的に可動スリーブ１７Ｂに伝達され、さらに、連結軸１６を介して押さえ板１４に伝達される。
【００４８】
その結果、押さえ板１４は、支軸１５回りに図３における反時計方向に回動して、押さえ板本体１４Ａは、節類Ｋを対向する円板４の側面に押し付ける。この状態において、エアシリンダ装置１７のシリンダロッド１７Ａの付勢力よりも付勢力が弱く設定されている圧縮コイルばね２０は圧縮され、鍔部Ｆとこれに対向する可動スリーブ１７Ｂの端面どうしが当接している。
【００４９】
ここで、図１に示すモータ３を起動し、円板４を矢印で示した方向に回転させると、円板４に取り付けられている多数の鉋刃９は、図３に示す状態で節類Ｋの表面を下向きに削り取っていく。こうして生成された削り節は、円板４と押さえ板本体１４Ａの間から下方に落下し、機枠２内の下部に設けられた削り節の貯留部に貯められる。
【００５０】
節類Ｋは、表面を鉋刃９によって削られて次第に小さくなるが、押さえ板１４にはエアシリンダ装置１７によって常時ほぼ一定の付勢力が作用しているため、節類Ｋの表面は鉋刃９に押し付けられており、引き続き削ることが可能である。
【００５１】
こうして、押さえ板本体１４Ａの表面が次第に円板４に接近して所定の位置に至ると、エアシリンダ装置１７のシリンダロッド１７Ａは伸長ストローク限界となり、その位置で伸長動作は停止する。そして、それ以降は、今まで圧縮されていた圧縮コイルばね２０の反発力が可動スリーブ１７Ｂを介して押さえ板１４に伝達され、小さくなった節類Ｋはなお、円板４側に押し付けられて鉋刃９によって削られる。
【００５２】
節類Ｋが小さくなると、鉋刃９との接触面積が次第に小さくなるため、押さえ板本体１４Ａの付勢圧力が一定であると、鉋刃９の節類Ｋに当接する圧力が次第に増加して、鉋刃９が節類Ｋに噛み込んだり、節類Ｋが砕けてしまう恐れがあるが、シリンダロッド１７Ａが伸長ストローク限界に達して停止した後は、押さえ板１４には圧縮コイルばね２０の反発力のみが作用し、これは、押さえ板本体１４Ａが円板４に接近するにしたがって反発力は弱まるので、節類Ｋが小さくなっても鉋刃９の節類Ｋに当接する圧力が上昇することが防止され、節類Ｋは、シリンダロッド１７Ａ上の可動スリーブ１７Ｂの環状段部ＣがワッシャＷに当接することで押さえ板本体１４Ａが鉋刃９との接触直前で停止するまで削ることができ、実用上ほとんど最後まで削ることができる。
【００５３】
なお、図３に示すように、節類保持枠１３には、節類Ｋの下端を受けて、押さえ板本体１４Ａの下端と円板４との間からの節類Ｋの落下を防ぐための受け部材２１が設けられている。
【００５４】
次に、図６は、本発明の節削り機の別の実施例における要部縦断面図、図７  本発明の節削り機の別の実施例における要部構造を示す正面図であって、これらの図において、前述した実施例のものと同一の番号で示してある部分は、先の実施例のものと同一構造となっている。
【００５５】
図６及び図７に示すものでは、押さえ板２４は、押さえ板本体２４Ａとこれに連続するアーム部２４Ｂから構成されており、支軸１５回りに回動自在に支持されている。
【００５６】
一方、この支持軸１５には、エアシリンダ装置１７’のシリンダロッド１７’Ａの先端部に連結軸１６で回動自在に連結された中継レバー２５が回動自在に支持されていて、中継レバー２５は、支軸１５回りに押さえ板２４とは独立して回動できるようになっている。
【００５７】
アーム部２４Ｂの背面には、ガイドピン２４Ｃが突設されていて、中継レバー２５の上端付近に形成されたガイド孔２５Ａに貫通されている。ガイドピン２４Ｃの突出端は、ガイド孔２５Ａの周縁部と係合する大径部２４Ｄとなっている。
【００５８】
ガイドピン２４Ｃには、弾性付勢部材としての圧縮コイルばね２０’が装着されており、この圧縮コイルばね２０’により、アーム部２４Ｂは中継レバー２５に対して支持軸１５を中心に反時計方向に回動付勢されている。
【００５９】
この構造により、押さえ板２４Ａ本体に外力が作用していないときには、ガイドピン２４Ｃの大径部２４Ｄがガイド孔２５Ａの周縁部に係合して、アーム部２４Ｂと中継レバー２５は、支持軸１５回りに一体的に回動するようになっている。
【００６０】
次に、本実施例における動作を説明すると、先ず、エアシリンダ装置１７’のシリンダロッド１７’Ａを収縮位置にし、円板４を停止させてある状態において、図６に示すように、上方から節類保持枠１３内に投入された節類Ｋは、同図に仮想線で示すように、節類保持枠１３内で円板４と押さえ板本体２４Ａの間に侵入して保持される。
【００６１】
この状態で、図示しないエア源からエアシリンダ装置１７’に所定圧力に調整された加圧エアを供給して、シリンダロッド１７’Ａを伸長方向に付勢する。シリンダロッド１７’Ａの付勢力は、連結軸１６を介して中継レバー２５に伝達され、さらに、圧縮コイルばね２０’を介してアーム部２４Ｂとこれに一体に連結されている押さえ板本体２４Ａに伝達される。
【００６２】
その結果、押さえ板２４は、支軸１５回りに図６における反時計方向に回動するので、押さえ板本体２４Ａは、節類Ｋを対向する円板４の側面に押し付ける。
ここで、前記コイルばね２０’は、エアシリンダ装置１７’のシリンダロッド１７’Ａの付勢力よりも反発力が弱く設定されているので圧縮コイルばね２０’は圧縮された状態になっている。
【００６３】
次いで、円板４を図７の矢印Ａで示した方向に回転させると、先の実施例のものと同様に、円板４に取り付けられている多数の鉋刃９は、節類Ｋの表面を下向きに削っていく。
【００６４】
こうして、節類Ｋが削られていくにしたがって、エアシリンダ装置１７’のシリンダロッド１７’Ａは伸長し続け、やがて図８に示す、伸長側のストロークの限界に達した位置で停止する。
【００６５】
シリンダロッド１７’が停止するのに伴って、中継レバー２５も停止するが、アーム部２４Ｂとこれに連続する押さえ板本体２４Ａには、なお、圧縮コイルばね２０’の反発力が作用しているため、小さくなった節類Ｋは押さえ板本体２４Ａによって円板４の鉋刃９に押し付けられているので、さらに削られていく。
【００６６】
こうして、節類Ｋが削られて小さくなるにしたがって、押さえ板本体２４Ａは、同図に仮想線で示す位置に至るまで鉋刃９に接近していくが、この際、圧縮コイルばね２０’が伸長するにつれてその反発力は弱まっていくので、節類Ｋと鉋刃９間の当接面積が減少しても節類Ｋに作用する鉋刃９の圧力増加を生じることがなく、鉋刃９の刃圧増加による節類の噛み込みや破砕を防止することができる。
【００６７】
【発明の効果】
以上説明したように、請求項１に記載された発明によれば、押さえ板がエアシリンダ装置のシリンダロッドのストローク端まで鉋刃に接近移動した後は、弾性付勢部材の反発力のみで押さえ板をを接近限界位置まで押圧付勢するようにしているため、節類の削り終わりに近づいて節類が次第に小さくなり、節類と鉋刃間の当接面積が減少しても節類に作用する鉋刃の圧力増加を生じることがない。
【００６８】
その結果、節類の削り終わり近くで、鉋刃の刃圧が増加して、節類の鉋刃への噛み込みや破砕を防止することができ、良質の削り節を効率良く製造することができる。
【００６９】
また、請求項２に記載された発明によれば、圧縮コイルばねで付勢された可動スリーブを介して押さえ板をエアシリンダ装置のシリンダロッドに連結された構造であるため、従来のエアシリンダ装置で押さえ板を動作させる節削り機に僅かな設計上の変更を加えるだけで、容易に製作することができる。
【図面の簡単な説明】
【図１】本発明の節削り機の１実施例を示す斜視図である。
【図２】本発明の節削り機の１実施例における要部構造を示す斜視図である。
【図３】本発明の節削り機の１実施例における要部構造を示す縦断面図である。
【図４】本発明の節削り機の１実施例における要部構造を示す正面図である。
【図５】本発明の節削り機の１実施例で用いられているエアシリンダ装置とそれに付随する部分の構造を示す部分断面図である。
【図６】本発明の節削り機の別の実施例における要部縦断面図である。
【図７】本発明の節削り機の別の実施例における要部構造を示す正面図である。
【図８】本発明の節削り機の別の実施例における節類の削り終わりに近い状態を示す要部縦断面図である。
【符号の説明】
１              節削り機
２              機枠
３              モータ
３Ａ            軸
４              円板
５              回転軸
６              被駆動プーリ
７              駆動プーリ
８              Ｖベルト
９              鉋刃
１０              ホッパ
１１、１２        カバー
１３              節類保持枠
１３Ａ、１３Ｂ    側板
１３Ｃ、１３Ｄ    連結片
１４、２４        押さえ板
１４Ａ、２４Ａ    押さえ板本体
１４Ｂ、２４Ｂ    アーム部
１５              支軸
１６              連結軸
１７、１７’      エアシリンダ装置
１７Ａ、１７’Ａ  シリンダロッド
１７Ｂ            可動スリーブ
１８              連結軸
１９              シリンダブラケット
２０、２０’      圧縮コイルばね（弾性付勢部材）
２１              受け部材
２４Ｃ            ガイドピン
２４Ｄ            大径部
２５              中継レバー
２５Ａ            ガイド孔
【図１】
2005040872.tif 000003
【図２】
2005040872.tif 000004
【図３】
2005040872.tif 000005
【図４】
2005040872.tif 000006
【図５】
2005040872.tif 000007
【図６】
2005040872.tif 000008
【図７】
2005040872.tif 000009
【図８】
2005040872.tif 000010